(57)【要約】【課題】  アレースピーカシステムにおいて、スピーカが取り付けられるスピーカ取付具が湾曲させて状態に配置されていても平板状のスピーカパネルを円滑にスピーカ取付具に取り付け可能とする。【解決手段】  スピーカ取付部１２が平板状に構成され、その背面側にスピーカ１０が取り付けられる。スピーカ取付部１２の正面側の両側に２つのスピーカパネル保持部が設けら、これらの間に配置された平板状のスピーカパネル１１を保持する。２つのスピーカパネル保持部は、それらの長さ方向に沿って貫通した溝３８を有し、溝３８は、スピーカ取付部１２の中央側に開口している。溝３８は、スピーカ取付部１２の正面側に溝底面４０を有し、これら溝底面４０から離れて溝壁面４２を有している。溝壁面４２は直線状で、溝底面４０は溝壁面４２側に凸に形成されている。【選択図】        図１
2010068312.tif 000002
【特許請求の範囲】
【請求項１】
平板状であって、間隔をおいて位置する互いに平行な直線状の２つの連結縁部を有し、背面側にスピーカが取り付けられるスピーカ取付部と、
このスピーカ取付部の正面側において、前記２つの連結縁部の端よりも外側で、前記２つの連結縁部にほぼ直交して直線状に伸び、互いの間に所定の間隔をおいて平行に位置し、互いの間に配置された平板状のスピーカパネルを保持する２つのスピーカパネル保持部とを、
具備するスピーカ取付具において、
前記２つの連結縁部は、他の前記スピーカ取付具の連結縁部と接して、アレイスピーカを構成し、
前記２つのスピーカパネル保持部は、それらの長さ方向に沿って貫通し、かつ前記スピーカ取付部の中央側で開口し、前記スピーカパネルの縁部が挿入される溝を有し、
これら溝は、前記スピーカ取付部の正面側に溝底面をそれぞれ有し、これら溝底面から所定の距離をおいて溝壁面をそれぞれ有し、
前記各溝壁面は、直線状に伸延し、前記溝底面は、前記溝壁面側に凸に湾曲しているスピーカ取付具。
【請求項２】
請求項１記載のスピーカ取付具において、前記２つの連結縁部から、前記スピーカ取付部の背面側に前記スピーカ取付部の中央側に向けて傾斜した傾斜面がそれぞれ形成されているスピーカ取付具。
【請求項３】
請求項２記載のスピーカ取付具において、前記２つの連結縁部の一方には、係合手段が形成され、前記２つの連結部の他方には、前記係合手段に係合可能な被係合手段が設けられているスピーカ取付具。
【発明の詳細な説明】
【技術分野】
【０００１】
本発明は、キャビネットにスピーカを収容する際に、スピーカを取り付けるスピーカ取付具に関し、特に一列に複数のスピーカを配置する際に使用するものに関する。
【背景技術】
【０００２】
スピーカを一列に配置したスピーカシステムとして、例えばラインアレースピーカがある。ラインアレースピーカの例が、非特許文献１、２に開示されている。非特許文献1に開示されているラインアレースピーカは、正方形状のスピーカ取付部にスピーカを取り付けたスピーカユニットを、一直線状に配置したもので、遠距離まで音を到達させることができるものである。非特許文献２のラインアレースピーカは、上記の複数のスピーカユニットを上方から下方へ向かう途中までは一直線状に配置し、途中から下端までは後方に向かって傾斜させて全体として後方に湾曲させたもので、遠距離でも近距離でも均一に音を伝達させることができるものである。これらは、いずれもエンクロージャ内に収容され、スピーカユニットの前面には、スピーカパネルとして平板状のパンチングネットが配置され、このパンチングネットはスピーカ取付具にネジ止めされていた。
【０００３】
【非特許文献１】http://www.toa-products.com/catalog/data/siyozu/srs4l_sa1j.pdf
【非特許文献２】http://www.toa-products.com/catalog/data/siyozu/srs4s_sa1j.pdf
【発明の開示】
【発明が解決しようとする課題】
【０００４】
非特許文献１、２に開示されているラインアレースピーカでは、パンチングネットがネジ止めされていることは美観上望ましくない。ネジ止めを省略してパンチングネットを固定する手法として、例えばスピーカ取付具の両側に、それぞれパンチングネット保持用の溝を有する保持部を形成し、これら保持部にパンチングネットの端を保持させることが考えられる。しかし、非特許文献１に開示されているように一直線状に配置されている場合には、パンチングネットは、がたつきなく円滑に保持部の溝の中に挿入することができるが、非特許文献２に開示されているような一部を湾曲させたようにスピーカユニットを配置した場合、この湾曲させた部分でがたつきが生じ、パンチングネットを円滑に挿入することができなかった。
【０００５】
本発明は、湾曲させた状態に配置している状態でも、例えばパンチングネットのような平板状のスピーカパネルを、円滑に挿入することができるように構成したスピーカ取付具を提供することを目的とする。
【課題を解決するための手段】
【０００６】
本発明の一態様のスピーカ取付具は、スピーカ取付部を有している。スピーカ取付部は、平板状に構成され、間隔をおいて位置する互いに平行な直線状の２つの連結縁部を有している。スピーカ取付部としては、例えば正方形状、長方形状、正六角形や正八角形のような正多角形とすることができる。スピーカ取付部の背面側にスピーカが取り付けられる。このスピーカ取付部の正面側において、前記２つの連結縁部の両端よりも外側に、２つのスピーカパネル保持部が設けられている。これらスピーカパネル保持部は、前記２つの連結縁部にほぼ直交して直線状に伸び、互いの間に所定の間隔をおいて平行に位置し、互いの間に配置されたスピーカパネルを保持する。スピーカパネルは、平板状のものである。２つの連結縁部は、同じスピーカ取付具の他のものの連結縁部と接して、アレイスピーカを構成する。前記２つのスピーカパネル保持部は、それらの長さ方向に沿って貫通し、かつ前記取付部の中央側で開口し、前記スピーカパネルの縁部が挿入される溝を有している。これら溝は、前記スピーカ取付部の正面側に溝底面をそれぞれ有し、これら溝底面から離れて溝壁面をそれぞれ有している。前記各溝壁面は、直線状に伸延し、前記溝底面は、前記溝壁面側に凸に湾曲している。溝壁面と溝底面とが最も接近して部分では、その間隔は、スピーカパネルの厚さにほぼ等しいことが望ましい。
【０００７】
このように構成された複数のスピーカ取付具を用いて、隣接するスピーカ取付具の連結縁部が接した状態で後方に傾斜させて、全体として後方に湾曲したように配置した場合、溝底面が溝壁面側に凸に湾曲しているので、連結縁部付近では溝壁面と溝底面との距離が最も広がっており、平板状のスピーカパネルを曲げながら溝内に挿入することが円滑に行える。また、溝壁面と溝底面との間隔は、そのほぼ中央付近で最も狭くなっており、この部分においてスピーカパネルが保持され、スピーカパネルが脱落することもない。
【０００８】
前記２つの連結縁部から、前記スピーカ取付部の背面側に前記スピーカ取付部の中央側に向けて傾斜した傾斜面をそれぞれ形成することができる。このように構成することによって、スピーカ取付部が一直線状に配置された状態から、隣接するスピーカ取付具の傾斜面が互いに接触する角度までの任意の角度にスピーカ取付具を傾斜させて配置することができる。
【０００９】
更に、前記２つの連結縁部の一方には、係合手段を形成し、前記２つの連結部の他方には、前記係合手段に係合可能な被係合手段を設けることができる。このように構成すると、２つのスピーカ取付具を隣接して配置する場合に、一方のスピーカ取付具の係合手段と、他方のスピーカ取付具の被係合手段とを係合させることによって、２つのスピーカ取付具を互いに連結することができる。
【発明の効果】
【００１０】
以上のように、本発明によるスピーカ取付具を複数使用すれば、少なくとも一部を湾曲させた状態でも、平板状のスピーカパネルを円滑にスピーカパネル保持部に挿入することができる。
【発明を実施するための最良の形態】
【００１１】
本発明の一実施形態のスピーカ取付具２は、図１に示すような直線状のラインアレースピーカシステム４または図２に示すような一部背面側に湾曲したラインアレースピーカシステム６を構成するために使用する。
【００１２】
図１のラインアレースピーカシステム４は、キャビネット８を有している。キャビネット８は、縦長で正面が開口した箱形のものである。キャビネット８の正面にスピーカ取付具２が互いに接触した状態でキャビネット８の上端部から下端部まで一直線状に配置され、キャビネット８に取り付けられている。各スピーカ取付具２の背面側には、それぞれスピーカ、例えばコーンスピーカ１０が取り付けられている。従って、各スピーカ取付具２がバッフルを構成している。各スピーカ取付具２の正面側には、平板状のスピーカパネル、例えばパンチングネット１１がキャビネット８の上端部から下端部まで取り付けられている。
【００１３】
図２のラインアレースピーカシステム６では、キャビネット８ａは縦長で正面が開口している点は、キャビネット８と同様であるが、その中途から下端部まで背面側に凹に湾曲している。このキャビネット８ａの正面に、スピーカ取付具２が互いに接触した状態で取り付けられているが、キャビネット８ａの湾曲部分では、その湾曲に沿って折れ線状に配置されている。図１に示したのと同様に、各スピーカ取付具２の背面側には、それぞれコーンスピーカ１０が取り付けられ、平板状のパンチングネット１１が、キャビネット８ａの正面において上端部から下端部まで取り付けられる。但し、パンチングネット１１は、キャビネット８ａの湾曲部分では、その湾曲に沿った状態で取り付けられる。
【００１４】
スピーカ取付具２は、図３及び図４に示すように、スピーカ取付部１２を有している。スピーカ取付部１２は、例えば概略正方形状の平板状に例えば合成樹脂によって構成されている。このスピーカ取付部１２の背面側の中央には円周状のスピーカ取付枠１４が形成されている。このスピーカ取付枠１４の中央には、正面方向に貫通した小判型の放音口１６が形成されている。スピーカ取付枠１４の外方の４隅には、スピーカ１０をキャビネット８または８ａにネジ止めするためのスピーカ取り付け孔１８が、それぞれ形成されている。このネジ止めのため、図示していないが、キャビネット８、８ａの正面の左右両側には、スピーカ取り付け孔１８に挿通されたネジがネジ止めされる固定部が形成されている。
【００１５】
スピーカ取付部１２の正面の例えば上下両縁部は互いに平行に位置し、この上下両縁部は、キャビネット８または８ａに取り付けられた状態において、隣接する他のスピーカ取付部１２の上下両縁部と接触する。即ち、これら上下両縁部が、接触縁部となる。この上下両縁部から背面側に、図５に示すように、スピーカ取付部１２の中央側に向かって僅かに傾斜している傾斜面２０、２２が形成されている。この傾斜角度は、図７に示すようにスピーカ取付部１２の中心に対してそれぞれ例えば３度である。この角度の頂点は、後述するようにキャビネット８ａの湾曲部にスピーカ取付具２を取り付けた場合、この湾曲部の中心に一致するように構成されている。上側にある傾斜面２０の両側には、それぞれ係合手段、例えば両外側方向に突出した長尺の突部２４が形成されている。傾斜面２２には、突部２４と対応する位置に、突部２４と係合可能な、例えば嵌め込み可能な被係合手段、例えば正面側に窪んだ溝２６がそれぞれ形成されている。
【００１６】
傾斜面２０の両端から、これら傾斜面２０に直交して傾斜面２２の両端まで側壁部２８が形成されている。これら側壁部２８とそれぞれ所定の間隔をおいて外側に溝形成部３０が形成され、側壁部２８と溝形成部３０との間に溝３２が形成されている。符号３４で示すのが、側壁部２８と溝形成部３０との間にある溝底部である。
【００１７】
これら溝形成部３０は、スピーカ取付部１２の正面側に延長され、その延長部３０ａの先端側全域からスピーカ取付部１２の中央側に向かって溝壁部３６が突出している。これら溝壁部３６と溝底部３４との間に、上述したパンチングネット１１の縁が挿入される溝３８が形成されている。この溝３８は、上下方向に貫通し、かつスピーカ取付部１２の中央側に開口している。溝３８は図５に示すように溝底部３４側の内面に溝底面４０を有し、溝壁部３６の内面に溝壁面４２を有している。溝壁面４２は、一直線状に形成されているが、溝底面４０は、図５に示すように溝壁面４２側に凸に形成されている。即ち、溝底面４０と溝壁面４２とは、溝３８の上下方向の中央で最も接近し、上下両端に向かうに従って、両者の間隔が広がるように形成されている。最も接近したときの溝底面５０と溝壁面４２との間隔は、パンチングネット１１の厚さにほぼ等しく形成されている。これら延長部３０ａ、溝壁部３６等によってパネル保持部が形成されている。
【００１８】
このように構成されたスピーカ取付具２を使用して、例えば図２に示すように一部が湾曲したラインアレースピーカシステム６を構成する場合、キャビネット８ａの下端部から中途までの湾曲している部分には、図６（ａ）、（ｂ）に示すように、複数のスピーカ取付具２が、その湾曲状態に沿って取り付けられている。この取り付け状態において、例えば隣接する２つのスピーカ取付具２では、下側にあるスピーカ取付具２の傾斜面２０が、上側にあるスピーカ取付具２の傾斜面２２に接するように配置されている。この状態では、下側のスピーカ取付具の傾斜面２０の正面側の縁部と上側のスピーカ取付具２の傾斜面２２とがほぼ接している。従って、延長部３０ａ同士も接触している。このとき、上述したように、各スピーカ取付部１２において傾斜面２０、２２がスピーカ取付部１２の中心に対してなす角度はそれぞれ３度であるので、下側のスピーカ取付部１２の傾斜面２０と上側のスピーカ取付部１２の傾斜面２２とが接触した状態において、両スピーカ取付部１２の中心間の角度は６度である。
【００１９】
また、この取り付け状態では、図７に示すように下側のスピーカ取付具２の突部２４が、上側のスピーカ取付具２の溝２６に嵌め込まれ、両者が連結され、両スピーカ取付具２同士が位置決めされ、キャビネット８ａに対しても位置決めされている。この嵌め込みにより、スピーカ取付具２同士が或る程度強く位置決めされているので、４つあるスピーカ取り付け孔１８の全てを使うことなく、図６（ａ）に示すように、一部、例えば半分の２つのスピーカ取り付け孔１８をキャビネット８ａにネジ止めするだけで、ぐらつくことなく、スピーカ取付具２をキャビネット８ａに固定することができる。これによって、ネジ止め工程が半減されている。
【００２０】
キャビネット８ａの中途から上端部までの直線状部に複数のスピーカ取付具２が上述したのと同様に取り付けられている。この直線状部での取付状態では、図８（ａ）、（ｂ）に示すように、隣接する２つのスピーカ取付具２のうち、下側にあるスピーカ取付具２の傾斜面２０の正面側縁部が上側にあるスピーカ取付具２の傾斜面２２の正面側縁部とほぼ接し、スピーカ取付具２の正面が一直線状に位置するように、下側のスピーカ取付具２の傾斜面２０と上側のスピーカ取付具２の傾斜面２２とが角度をなしている。この配置状態においても、突部２４と溝２６とによって上述したのと同様に上下のスピーカ取付具２同士は連結されている。
【００２１】
このようにしてキャビネット８ａにスピーカ取付具２をそれぞれ取り付けた後、パンチングネット１１を、例えばキャビネット８ａの正面に取り付ける。この取付は、パンチングネット１１の両端部を、例えば最上部にあるスピーカ取付具２の２つの溝３８に挿入して、下端部側に押し込むことによって行われる。この場合、図８（ａ）、（ｂ）に示すようにスピーカ取付具２が直線状に配置されている部分では、パンチングネット１１は、真っ直ぐに降下していく。図６（ａ）、（ｂ）に示すようにスピーカ取付具２が傾斜している部分では、溝底４０を溝壁面４２側に凸に形成しているので、溝３８の入口部分の幅が広く、スピーカ取付具２が傾斜していても、円滑にパンチングネット１１が入口部分を通過し、また出口部分も円滑に通過する。従って、キャビネット８ａのように湾曲した部分を持つキャビネットに対しても、パンチングネット１１の装着が容易に行える。いずれのスピーカ取付具２においても、溝３８の中央付近の最も溝幅が狭い部分で、パンチングネット１１が保持されている。
【００２２】
図８（ａ）、（ｂ）では、上下に隣接する２つのスピーカ取付具２の下側のものの傾斜面２０と、上側のものの傾斜面２２を完全に接触させたものを示したが、キャビネット８ａの湾曲部分の湾曲度が図２に示したものよりも緩やかな場合には、その湾曲度に整合させて、下側のものの傾斜面２０と上側のものの傾斜面２２とが、スピーカ取付具２の正面側で接触した状態を維持しながら、両者の間に隙間を形成するように配置することもある。
【００２３】
図１に示すような直線状のラインアレースピーカシステムを構成する場合には、上述した図８（ａ）、（ｂ）に示したようにスピーカ取付具２を全て組み合わせて、キャビネット８の上端部から下端部までに取り付け、パンチングネット１１の両側縁を各スピーカ取付具２の２つの溝３２に上端部から下端部まで挿入する。この場合、パンチングネット１１は、各スピーカ取付具２の溝３８の中央の最も幅の狭い部分で支持される。
【００２４】
上記の実施形態では、スピーカ取付部１２は正方形状のものを使用したが、これに限ったものではなく、例えば長方形状のものを使用することもできるし、正六角形や正八角形とすることもできる。これら正六角形や正八角形状のものを使用する場合、対向して平行な２辺を、接触縁部とし、これらに直交するようにこれら２辺よりも外側のスピーカ取付部上に１対のパネル保持部を形成すればよい。無論、パネル保持部は、上述した延長部３０ａ、溝壁部３６に対応するものである。上記の実施形態では、ラインアレースピーカシステムはスピーカを上下に配置するものとして説明したが、これに限ったものではなく、横方向に配置する場合にも同様に、本発明を実施することができる。また、図１及び図２に示したラインアレースピーカシステムを複数組み合わせてラインスピーカシステムを構成することもできる。
【図面の簡単な説明】
【００２５】
【図１】本発明の一実施形態のスピーカ取付具を使用したラインアレースピーカシステムの一例の斜視図である。
【図２】本発明の一実施形態のスピーカ取付具を使用したラインアレースピーカシステムの一例の斜視図である
【図３】本発明の一実施形態のスピーカ取付具の正面側から見た斜視図である。
【図４】本発明の一実施形態のスピーカ取付具の背面側から見た斜視図である。
【図５】図１の５−５線に沿う断面図である。
【図６】本発明の一実施形態のスピーカ取付具を傾斜させた状態で連結した状態の正面図及びこの正面図におけるｂ−ｂ線に沿う断面図である。
【図７】本発明の一実施形態のスピーカ取付具を傾斜させた状態で連結した状態の背面側から見た斜視図である。
【図８】本発明の一実施形態のスピーカ取付具を一直線状に連結した状態の正面図及びこの正面図におけるｂ−ｂ線に沿う断面図である。
【符号の説明】
【００２６】
２  スピーカ取付具
１２  スピーカ取付部
２０  ２２  傾斜面（連結縁部）
３０ａ  延長部（パネル保持部）
３６  溝壁部
３８  溝
４０  溝底面
４２  溝壁面
【図１】
2010068312.tif 000003
【図２】
2010068312.tif 000004
【図３】
2010068312.tif 000005
【図４】
2010068312.tif 000006
【図５】
2010068312.tif 000007
【図６】
2010068312.tif 000008
【図７】
2010068312.tif 000009
【図８】
2010068312.tif 000010